(57)【特許請求の範囲】
【請求項１】
緑化工の施工法面に配置される植栽基体であって、柔軟性を有する植物繊維製の筒状の袋体に柔軟性を有する合成樹脂製の筒状の袋体を内蔵し、この二重の袋体に、チッソ飢餓をコントロールする資材が混合された植栽土が供給される植物の生育用開口部を形成すると共に、更に、二重の袋体内に木材チップを含む植生基材を充填してなることを特徴とする植栽基体。
【請求項２】
緑化工の施工法面に格子状の法枠を形成するための植栽基体であって、柔軟性を有する植物繊維製の筒状の袋体に柔軟性を有する合成樹脂製の筒状の袋体を内蔵し、この二重の袋体に、チッソ飢餓をコントロールする資材が混合された植栽土が供給される植物の生育用開口部を形成すると共に、更に、二重の袋体内に木材チップを含む植生基材を充填してなることを特徴とする植栽基体。
【請求項３】
緑化工の施工法面に法柵を設置すると共に、法柵間に厚層基材を吹き付ける法面の緑化工法であって、緑化工の施工法面に植物繊維製のマットを張設する一方、柔軟性を有する植物繊維製の筒状の袋体に柔軟性を有する合成樹脂製の筒状の袋体を内蔵すると共に、この二重の袋体に木材チップを含む植生基材を充填してなる基体を、法柵構成用の柵体として、この柵体に植物の生育用開口部を形成し、かつ、この柵体を等高線と並行するように上記のマット上に設置して、法柵内に木材チップを含む厚層基材を吹き付ける一方、上記の植物生育用の開口部を通して二重の袋体内にチッソ飢餓をコントロールする資材が混合された植栽土を供給し、この植栽土に植物苗を植栽または植物種子を播種することを特徴とする法面の緑化工法。
【請求項４】
緑化工の施工法面に格子状の法枠を設置すると共に、格子状の法枠内に厚層基材を吹き付ける法面の緑化工法であって、緑化工の施工法面に植物繊維製のマットを張設する一方、柔軟性を有する植物繊維製の筒状の袋体に柔軟性を有する合成樹脂製の筒状の袋体を内蔵すると共に、この二重の袋体に木材チップを含む植生基材を充填してなる基体を、格子状の法枠構成用の枠体として、このうちの少なくとも水平方向に設置される枠体に植物の生育用開口部を形成し、かつ、この枠体を格子状の法枠を形成するように上記のマット上に設置して、格子状の法枠内に木材チップを含む厚層基材を吹き付ける一方、上記の植物生育用の開口部を通して二重の袋体内にチッソ飢餓をコントロールする資材が混合された植栽土を供給し、この植栽土に植物苗を植栽または植物種子を播種することを特徴とする法面の緑化工法。
【請求項５】
緑化工の施工法面に吹き付けた厚層基材に、適宜の間隔を隔てて凹部を形成し、この凹部に植栽土を供給して、この植栽土に植物苗を植栽または植物種子を播種することを特徴とする請求項３または４に記載された法面の緑化工法。
【請求項６】
前記木材チップに、トリコデルマ菌を接触させる請求項３〜５のいずれかに記載の法面の緑化工法。
【発明の詳細な説明】
【０００１】
【発明の属する技術分野】
本発明は、緑化工の施工法面に配置される植栽基体と、緑化工の施工法面に設置された格子状の法枠内または法柵間に厚層基材を吹き付ける法面の緑化工法とに関するものである。
【０００２】
【従来の技術】
従来の法面の緑化工法として、法面上に鉄筋を格子状に配置すると共に、この鉄筋を覆うようにモルタルまたはコンクリートを吹き付けて、格子状の法枠を形成し、この法枠内に厚層基材を吹き付ける形態のものがある。
【０００３】
この工法では、施工現場への鉄筋の搬入やモルタルまたはコンクリートの吹き付けと言った大掛かりな工事を要することから、最近では、合成樹脂製の網筒や植物繊維製の袋体を用いて、これに植生基材を充填したものを法枠構成用の枠体とし、これを法面上に格子状に設置して、この格子状の法枠内に厚層基材を吹き付ける形態がとられるようになっている。
【０００４】
そして、法面の早期の緑化を図る上で、法枠内に吹き付けた厚層基材に、草本類や小灌木の木本類、その他、法面の樹林化を図る上で樹木苗などの植生を施すようにしている。
【０００５】
ところで、近年では、廃棄処分することが厄介な間伐材や倒木材などをチップ化して、これを植生基材や厚層基材の一部に利用しつつある。
【０００６】
即ち、木材チップは、時間の経過に伴って腐食堆肥となり、植生の生育にとって好適であるから、上記の合成樹脂製の網筒や植物繊維製の袋体に充填する植生基材や、格子状の法枠内に吹き付ける厚層基材に、木材チップを配合させる形態がとられつつあるのである。
【０００７】
【発明が解決しようとする課題】
しかしながら、上記の合成樹脂製の網筒を用いる工法では、これに充填させた植生基材が乾燥し易くて、植生の生育面で問題があり、植物繊維製の袋体を用いる工法では、植生基材の乾燥が効果的に防止されるものの、袋体が腐食した際には、植生基材が崩れて流亡し易い問題があった。
【０００８】
一方、木材の生チップは、これが腐食堆肥するまでの間に、ガスや腐朽菌類を発生し、更には、苗床である厚層基材や法面土壌のチッソ飢餓を招くことから、植生の生育を阻害する問題もあった。
【０００９】
本発明は、かゝる実情に鑑みて成されたものであって、第１の発明では、格子状法枠の構成用枠体または法柵の構成用柵体として用いる植栽基体を、植生基材の乾燥が効果的に防止される上に、チッソ飢餓を伴わせずして、木材チップと同居させての法面の緑化の施工を実現できるものにして提供することを目的としている。
【００１０】
そして、第２の発明では、法面の緑化の施工を木材チップと同居させて実現できる上に、一度に多量の木材チップを処理可能な法面の緑化工法を提供することを目的としており、これに加えて、第３の発明では、法面の全面緑化を期する上で好適な法面の緑化工法を提供することを目的としている。また、第４の発明では、確実に法面の緑化を図ることができる法面の緑化工法を提供することを目的としている。
【００１１】
【課題を解決するための手段】
第１の発明による植栽基体は、緑化工の施工法面に配置される植栽基体であって、柔軟性を有する植物繊維製の筒状の袋体に柔軟性を有する合成樹脂製の筒状の袋体を内蔵し、この二重の袋体に、チッソ飢餓をコントロールする資材が混合された植栽土が供給される植物の生育用開口部を形成すると共に、更に、二重の袋体内に木材チップを含む植生基材を充填してなる点に特徴がある（請求項１）。
【００１２】
また、緑化工の施工法面に格子状の法枠を形成するための植栽基体であって、柔軟性を有する植物繊維製の筒状の袋体に柔軟性を有する合成樹脂製の筒状の袋体を内蔵し、この二重の袋体に、チッソ飢餓をコントロールする資材が混合された植栽土が供給される植物の生育用開口部を形成すると共に、更に、二重の袋体内に木材チップを含む植生基材を充填してなるとしてもよい（請求項２）。
【００１３】
かゝる構成の植栽基体によれば、その表面部が植物繊維製の筒状の袋体で覆われることから、植生基材の乾燥が効果的に防止されるのであり、この植物繊維製の筒状の袋体が腐食したとしても、合成樹脂製の筒状の袋体が残ることで、植生基材の流亡も効果的に防止されるのである。
【００１４】
法面の緑化に際しては、上記構成の植栽基体を法面上に設置し、この植栽基体の植物生育用の開口部を通して二重の袋体内に植栽土を供給し、この植栽土に植物苗を植栽または植物種子を播種するのであり、この際、植栽土が木材チップから発生するガスや腐朽菌類の侵入を防止し、かつ、チッソ飢餓の促進も防止することから、植物苗は順調に生育するようになる。
【００１５】
上記の植栽土としては、チッソ飢餓をコントロールする上で、ゼオライト、炭粉、土壌改良材、鹿沼土、石灰などの混合資材を選択すること望ましい。
【００１６】
第２の発明による法面の緑化工法では、緑化工の施工法面に法柵を設置すると共に、法柵間に厚層基材を吹き付ける法面の緑化工法であって、緑化工の施工法面に植物繊維製のマットを張設する一方、柔軟性を有する植物繊維製の筒状の袋体に柔軟性を有する合成樹脂製の筒状の袋体を内蔵すると共に、この二重の袋体に木材チップを含む植生基材を充填してなる基体を、法柵構成用の柵体として、この柵体に植物の生育用開口部を形成し、かつ、この柵体を等高線と並行するように上記のマット上に設置して、法柵内に木材チップを含む厚層基材を吹き付ける一方、上記の植物生育用の開口部を通して二重の袋体内にチッソ飢餓をコントロールする資材が混合された植栽土を供給し、この植栽土に植物苗を植栽または植物種子を播種する点に特徴がある（請求項３）。
【００１７】
また、緑化工の施工法面に格子状の法枠を設置すると共に、格子状の法枠内に厚層基材を吹き付ける法面の緑化工法であって、緑化工の施工法面に植物繊維製のマットを張設する一方、柔軟性を有する植物繊維製の筒状の袋体に柔軟性を有する合成樹脂製の筒状の袋体を内蔵すると共に、この二重の袋体に木材チップを含む植生基材を充填してなる基体を、格子状の法枠構成用の枠体として、このうちの少なくとも水平方向に設置される枠体に植物の生育用開口部を形成し、かつ、この枠体を格子状の法枠を形成するように上記のマット上に設置して、格子状の法枠内に木材チップを含む厚層基材を吹き付ける一方、上記の植物生育用の開口部を通して二重の袋体内にチッソ飢餓をコントロールする資材が混合された植栽土を供給し、この植栽土に植物苗を植栽または植物種子を播種するとしてもよい（請求項４）。
【００１８】
上記の緑化工法によれば、少なくとも水平方向に設置される枠体または等高線と並行するように設置される柵体が、第１の発明による植栽基体そのものであることから、これに植え付けた植物苗や植物種子は、木材チップの腐朽菌類による腐食やガスの影響を受けることなく、かつ、チッソ飢餓も抑止されて、順調に生育するようになる。
【００１９】
即ち、第２の発明による法面の緑化工法によれば、法面の緑化の施工を木材チップと同居させて実現できるのであり、しかも、木材チップを含む厚層基材を格子状の法枠内に吹き付けることから、多量の木材チップを一度に処理することができるのである。
【００２０】
更には、厚層基材の吹き付け面部に植物繊維製のマットを張設することから、法面の土壌に対しての腐朽菌類による腐食やガスの影響はもとより、法面土壌のチッソ飢餓も効果的に抑止されるのである。
【００２１】
好適には、法面の全面を緑化させる上で、緑化工の施工法面（例えば、格子状の法枠内）に吹き付けた厚層基材に、適宜の間隔を隔てて凹部を形成し、この凹部に植栽土を供給して、この植栽土に植物苗を植栽または植物種子を播種する（請求項５）ことであって、この第３の発明による法面の緑化工法によれば、木材チップの腐朽菌類による腐食やガスが苗床に直接的に影響しなくなることから、また、苗床のチッソ飢餓も抑止されることから、この植栽土に植え付けた植物苗や植物種子は、順調に生育するようになる。
【００２２】
また、前記木材チップに、トリコデルマ菌を接触させるようにしてもよい（請求項６）。この第４の発明による法面の緑化工法によれば、前記トリコデルマ菌により、木材チップに付着するおそれのあるナラタケ、カワラタケ、その他多くのタケ菌がクヌギ、カシ、モミジ等の落葉種の樹木の病気を引き起こすことを防止できる。
【００２３】
【発明の実施の形態】
以下、本発明の実施の形態を図面に基づいて説明する。図１は植栽基体１を示し、この植栽基体１は、図２に示すように、緑化工の施工法面Ｎに格子状の法枠２を形成するためのものであって、植物繊維製の筒状の袋体３に合成樹脂製の筒状の袋体４を内蔵すると共に、この二重の袋体３，４に、別途ポット５で生育させた植物苗（この実施の形態では樹木苗）ａの生育用開口部６を形成し、更に、二重の袋体３，４に、木材チップｂと固形肥料ｃとを配合させた植生基材７を充填して、その充填口を閉じてなり、かつ、二重の袋体３，４の両端部には、連結用の控え部８，８が備えられている。
【００２４】
植物苗ａの生育用開口部６には、二重の袋体３，４内に嵌め込む状態で、網状の筒体９が装着されている。この筒体９と上記の内蔵袋体４のそれぞれは、柔軟性を有する合成樹脂製であり、また、植物繊維製の筒状の袋体３も柔軟性を有するものであって、植生基材７を充填する前の段階において、筒体９を備えた二重の袋体３，４が折り畳み可能であることから、これの取り扱い並びに運搬が容易となっている。
【００２５】
尚、網状の筒体９と内蔵袋体４を半硬質や硬質の合成樹脂製としてもよく、内蔵の袋体４については、これを合成樹脂製の不織布によって製作してもよいのであるが、この実施の形態では、外側の筒状の袋体３を、ヤシ繊維とジュート繊維とを混紡させた植物繊維製のものとし、内蔵の袋体４を、防風ネットなどに利用されるポリエチレン製のものとしている。
【００２６】
法面Ｎの緑化に際して、図２に示すように、上記の構成による植栽基体１と、生育用開口部６を形成していない植栽基体１Ａとを用意して、図３にも示すように、先ずは、緑化工の施工法面Ｎに、例えばヤシ繊維とジュート繊維とを混紡させた植物繊維製のマット１０を張設する。
【００２７】
次に、この植物繊維製のマット１０上に、植栽基体１を上下方向に間隔を隔てて且つ植栽基体１Ａを水平方向に間隔を隔てて格子状に配置して、緑化工の施工法面Ｎに格子状の法枠２を設置し、適宜アンカー１１を打設して、植物繊維製のマット１０と植栽基体１，１Ａの位置固定を図り、更に、接続アンカー１２によって植栽基体１，１Ａの一体化を図るのである。尚、植栽基体１，１と１Ａ，１Ａどうしの連結に際しては、端部の控え部８，８を互いに重ね合わせて、この控え部８，８の孔ｄにアンカー１１を打設している。
【００２８】
そして、格子状の法枠２内に、木材チップｂと固形肥料ｃとを配合させた厚層基材１３を吹き付ける一方、上記の植物生育用の開口部６を通して、二重の袋体３，４内の筒体９に植栽土１４を供給し、この植栽土１４に植物苗ａを植栽することで、法面Ｎの緑化工を完了するのであって、植物苗ａは成長して、やがては植物繊維製のマット１０を通して法面Ｎの土壌に根を張るようになる（図３を参照）。
【００２９】
上記の実施の形態では、筒体９に供給した植栽土１４に、別途ポット５で生育させた植物苗ａを、ポット５ごと植栽させているが、植物苗ａをポット５から取り出して、これを植栽土１４と共に植物生育用の開口部６に埋め込んでもよく、植物苗ａの植栽に代えて、植栽土１４に植物種子を播種してもよいのである。
【００３０】
また、法面Ｎの全面緑化を図るならば、図２に示すように、格子状の法枠２内に吹き付けた厚層基材１３に、適宜の間隔を隔てて凹部１５を形成し、この凹部１５に植栽土１４を供給して、この植栽土１４に植物苗ａを植栽または植物種子を播種すればよいのである。
【００３１】
更に、水平方向に間隔を隔てて設置する植栽基体１Ａにも、植物生育用の開口部６を形成して、この開口部６を通して二重の袋体３，４内に植栽土１４を供給し、この植栽土１４に植物苗を植栽または植物種子を播種するようにしてもよいのである。
【００３２】
尚、植栽土１４としては、チッソ飢餓をコントロールする上で、ゼオライト、炭粉、土壌改良材、鹿沼土、石灰などの混合資材を選択すること望ましい。
【００３３】
また、植生基材７ならびに厚層基材１３として、木材チップｂと固形肥料ｃとの配合基材を選択しているが、これらに適宜、土壌改良材、ピートモス、バーミキュライト、腐葉土などを配合させてもよいのである。
【００３４】
図４は、法面緑化工の変形例の施工形態を示す斜視図である。
ここで、上記実施の形態では、植栽基体１を、緑化工の施工法面Ｎに格子状の法枠２を形成するためのものとして用いているが、このような構成に限るものではなく、図５に示すように前記植栽基体１を、緑化工の施工法面Ｎに等高線と並行するように（網柵状に）配置される法柵１６を形成するためのものとして用いてもよい。
【００３５】
すなわち、前記法柵１６は、前記法枠２に比して、水平方向に間隔を隔てて、かつ等高線とほぼ垂直な方向に配置される植栽基体１Ａを有していない点で異なる。
【００３６】
次に、上記の構成からなる法柵１６を形成するための植栽基体１，１…を用いた法面緑化工（法面緑化方法）について説明する。
まず、図４に示すように、緑化工の施工法面Ｎに、前記マット１０を張設し、この植物繊維製のマット１０上に、植栽基体１，１…を上下方向（等高線とほぼ垂直な方向）に間隔を隔てて、かつ等高線と並行するように配置して、緑化工の施工法面Ｎに法柵１６を設置し、適宜アンカー１１を打設して、植物繊維製のマット１０と植栽基体１，１…の位置固定を図る。
【００３７】
この際、隣り合う植栽基体１，１どうしを連結して、一体化を図るようにしてもよい。この連結は、例えば、上述したように、端部の控え部８，８を互いに重ね合わせて、この控え部８，８の孔ｄにアンカー１１を打設することによって行うこともできるし、ほぼコの字形状の前記接続アンカー１２を用いて行うこともできる。
【００３８】
そして、等高線とほぼ垂直な方向において隣り合う法柵１６，１６間に、木材チップｂと固形肥料ｃとを配合させた前記厚層基材１３を吹き付ける一方、上記の植物生育用の開口部６を通して、二重の袋体３，４内の筒体９に植栽土１４を供給し、この植栽土１４に植物苗ａを植栽することで、法面Ｎの緑化工を完了するのであって、植物苗ａは成長して、やがては植物繊維製のマット１０を通して法面Ｎの土壌に根を張るようになる。
【００３９】
また、等高線とほぼ垂直な方向において隣り合う法柵１６，１６間に吹き付けた厚層基材１３に、適宜の間隔を隔てて凹部１５を形成し、この凹部１５に植栽土１４を供給して、この植栽土１４に植物苗ａを植栽または植物種子を播種してもよく、この場合には、法面Ｎの全面緑化を図ることができる。
【００４０】
なお、前記植栽基体１に設ける開口部６の数は、１つに限るものではなく、複数（例えば、２つ）設けてもよく、また、前記開口部６を有しない植栽基体１を設けてもよい。
【００４１】
また、前記法柵１６を構成する等高線とほぼ並行するように配置された植栽基体１，１…間に、適宜の間隔を設けてもよいのであり、例えば、図６に示すように、前記法柵１６を構成する植栽基体１，１…を市松模様状（チェック状）に配置してもよい。
【００４２】
さらに、前記木材チップｂにトリコデルマ菌（農林水産省登録  第７０２３号、図示せず）を接触させるようにしてもよい。
【００４３】
前記トリコデルマ菌は、煙草の根元の幼根に発生するモンパ病や老松の根に発生する白タケの防止などに効果があることが発見され、活用されるようになったものである。例えば、未完熟な堆肥を用いた場合、クヌギ、カシ、モミジ等の落葉種の樹木にナラタケ、カワラタケ、その他多くのタケ菌が付着して病気が起こり、枯死する例がみられるが、前記堆肥にトリコデルマ菌を加えることで、上記のような病気が防止できる。このことから、発明者は、前記未完熟な堆肥の一つである木材チップｂにも前記トリコデルマ菌を適用できると考え、実施したところ、上記病気が防止されたのであり、前記トリコデルマ菌の効果が実証されたのである。
【００４４】
また、前記トリコデルマ菌に加えて硫安肥料を用いることにより、さらに植生しようとする植物の繁殖を旺盛にすることが可能となるとともに、チッソ飢餓防止にもなり、効果が大きい。
【００４５】
なお、前記トリコデルマ菌を木材チップｂに接触させるためには、例えば、二重の袋体３，４に充填する前や前記厚層基材１３として吹き付ける前の木材チップｂにトリコデルマ菌を予め混合するようにしてもよく、また、二重の袋体３，４に充填した後や前記厚層基材１３として吹き付けた後の木材チップｂに、前記トリコデルマ菌を含む水を散水（すなわち、散布）してもよい。
【００４６】
つまり、前記トリコデルマ菌によって、悪い菌を殺し、良い菌を増殖させて、健康な樹木を得ることができ、トリコデルマ菌の肥効（効果が継続する期間）は２〜３年であることから、幼苗の初期生育には効果が大きい。また、前記トリコデルマ菌は、化学薬品ではなく、人畜無害であることから、人体には悪影響はなく、安全に用いることが可能である。
【００４７】
なお、上記実施例に示した２つの緑化工では、いずれも前記マット１０を張設しているが、このような構成に限るものではなく、前記マット１０を用いずに、植栽基体１，１Ａおよび厚層基材１３を法面Ｎ上に直接配置および吹き付けしてもよい。
【００４８】
【発明の効果】
以上説明したように、第１の発明によれば、格子状法枠の構成用枠体として用いる植栽基体を、植生基材の乾燥が効果的に防止される上に、チッソ飢餓を伴わせずして、木材チップと同居させての法面の緑化の施工を実現できるものにして提供することができる。
【００４９】
第２の発明によれば、法面の緑化の施工を木材チップと同居させて実現できる上に、一度に多量の木材チップを処理可能な法面の緑化工法が提供されるのであり、これに加えて、第３の発明では、法面の全面緑化を期する上で好適な法面の緑化工法が提供される。また、第４の発明では、確実に法面の緑化を図ることができる法面の緑化工法が提供される。
【図面の簡単な説明】
【図１】植栽基体の一部を破断した平面図である。
【図２】法面緑化工の施工形態を示す斜視図である。
【図３】法面緑化工の施工形態を示す断面図である。
【図４】法面緑化工の変形例の施工形態を示す斜視図である。
【図５】上記法面緑化工の施工形態を示す平面図である。
【図６】法面緑化工のさらなる変形例の施工形態を示す平面図である。
【符号の説明】
１…植栽基体、２…法枠、３…植物繊維製の筒状の袋体、４…合成樹脂製の筒状の袋体、６…植物の生育用開口部、７…植生基材、１０…植物繊維製のマット、１３…厚層基材、１４…植栽土、１５…凹部、ａ…植物苗、ｂ…木材チップ、Ｎ…法面。
【図１】
0003605803.tif 000002
【図２】
0003605803.tif 000003
【図３】
0003605803.tif 000004
【図４】
0003605803.tif 000005
【図５】
0003605803.tif 000006
【図６】
0003605803.tif 000007